(57)【要約】【課題】光学系の光軸と複数のガイドバーとの平行度を向上させ、光学系の光学性能を向上させる。【解決手段】光学系（１００、１０２）を、該光学系の光軸方向に移動可能に案内する複数の案内軸（１１０、１１２、１１４）と、前記複数の案内軸を該案内軸の両端部で保持する一対の保持部材（１５８）と、を備え、前記一対の保持部材は、同一の型で成型されると共に、互いに向きを一致させて配されるレンズ鏡筒（１００）。【選択図】図１
2010113081.tif 000002
【特許請求の範囲】
【請求項１】
光学系を、該光学系の光軸方向に移動可能に案内する複数の案内軸と、
前記複数の案内軸を該案内軸の両端部で保持する一対の保持部材と、
を備え、
前記一対の保持部材は、同一の型で成型されると共に、互いに向きを一致させて配されるレンズ鏡筒。
【請求項２】
前記一対の保持部材はそれぞれ、前記複数の案内軸が当接する複数のＶ字溝を有する請求項１に記載のレンズ鏡筒。
【請求項３】
前記案内軸を前記Ｖ字溝との間で挟んで固定する固定部材をさらに備える請求項２に記載のレンズ鏡筒。
【請求項４】
前記光学系を該光学系の光軸方向に駆動するカム部材をさらに備え、
前記固定部材は、前記カム部材を前記光学系の光軸方向に位置決めする請求項３に記載のレンズ鏡筒。
【請求項５】
前記カム部材は、その内周面が前記保持部材の外周に当接する請求項４に記載のレンズ鏡筒。
【請求項６】
前記保持部材には、前記向きを識別可能な指標を備える請求項１から請求項５までの何れか１項に記載のレンズ鏡筒。
【請求項７】
前記保持部材は、前記案内軸を前記保持部材の中心部に対して対称な位置において保持する請求項１から請求項６までの何れか１項に記載のレンズ鏡筒。
【請求項８】
請求項１から請求項７までの何れか１項に記載のレンズ鏡筒と、
前記光学系による像を撮影する撮像部と、
を有する撮像装置。
【請求項９】
型により成型されるとともに第１および第２の切欠を有する第１枠部材を設け、
前記型と同一の型で成型されるとともに前記第１の切欠に対応する第３の切欠と前記第２の切欠に対応する第４の切欠とを有する第２枠部材を、該第２枠部材の向きを前記第１枠部材の向きと一致させて設け、
前記第１枠部材の前記第１の切欠と前記第２枠部材の前記第３の切欠とに係合する第１軸状部材と、前記第２の切欠と前記第４の切欠とに係合する第２軸状部材とを設け、
前記第１軸状部材に移動可能に係合する第１係合部と前記第２軸状部材に移動可能に係合する第２係合部とを有する移動部材を設けることを特徴とする軸案内機構の製造方法。
【発明の詳細な説明】
【技術分野】
【０００１】
本発明は、レンズ鏡筒、撮像装置、及び軸案内機構の製造方法に関する。
【背景技術】
【０００２】
光学系の光軸方向に沿って互いに平行に配された複数のガイドバーを備えるレンズ鏡筒が知られている（例えば、特許文献１参照）。当該レンズ鏡筒では、光学系が、その光軸方向へ複数のガイドバーにより案内されて移動する。
【特許文献１】特開２００７−１４８０２１号公報
【発明の開示】
【発明が解決しようとする課題】
【０００３】
複数のガイドバーの平行度を向上させ、光学系の光学性能を向上させることを課題とする。
【課題を解決するための手段】
【０００４】
上記課題を解決するために、本発明の第１の態様においては、光学系（１００、１０２）を、該光学系の光軸方向に移動可能に案内する複数の案内軸（１１０、１１２、１１４）と、前記複数の案内軸を該案内軸の両端部で保持する一対の保持部材（１５８）と、を備え、前記一対の保持部材は、同一の型で成型されると共に、互いに向きを一致させて配されるレンズ鏡筒（１００）を提供する。
【発明を実施するための最良の形態】
【０００５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００６】
図１は、レンズ鏡筒１００の内部構造を示す斜視図である。この図に示すように、レンズ鏡筒１００は、前群レンズ１０２と、後群レンズ１０４と、前群レンズ保持体１０６と、後群レンズ保持体１０８と、ガイドバー１１０、１１２、１１４とを備えている。なお、以下の説明では、前群レンズ１０２及び後群レンズ１０４の光軸方向を光軸方向と、前群レンズ１０２及び後群レンズ１０４の半径方向を半径方向と称する。また、レンズ鏡筒１００を装着したカメラ本体を横位置で構えた状態で、光軸方向と直交する平面内において上下に延びる方向、左右に延びる方向をそれぞれ上下方向、左右方向と称する。
【０００７】
前群レンズ１０２と後群レンズ１０４とは、被写体側からカメラ本体側へ光軸方向に沿って記載順に配されている。また、前群レンズ保持体１０６は、前群レンズ１０２を保持しており、後群レンズ保持体１０８は、後群レンズ１０４を保持している。また、ガイドバー１１０とガイドバー１１２とガイドバー１１４とは、円柱状の軸であって、光軸方向に沿って互いに平行に配されている。ガイドバー１１２とガイドバー１１４とが左右方向に並べて配され、ガイドバー１１０が、ガイドバー１１２とガイドバー１１４とを結ぶ線分の上側に配されている。ここで、ガイドバー１１０、１１２、１１４は、光軸を中心として回転対称に、即ち、光軸の周りに等間隔で配されており、光軸方向から見て光軸を図心とする正三角形状に配されている。
【０００８】
また、レンズ鏡筒１００は、ガイドバー１１０、１１２、１１４を支持する前後一対のガイドバー支持部１５０、１５２と、モータ等の駆動源から前群レンズ保持体１０６と後群レンズ保持体１０８とに駆動力を伝達するカム環１５４とを備えている。ガイドバー支持部１５０は被写体側にガイドバー支持部１５２はカメラ本体側に配され、カム環１５４は、ガイドバー支持部１５０とガイドバー支持部１５２とから光軸方向に挟まれている。なお、前群レンズ保持体１０６と後群レンズ保持体１０８とは、同様の構成なので、前群レンズ保持体１０６の構成について説明して、後群レンズ保持体１０８の構成については説明を省略する。
【０００９】
前群レンズ保持体１０６は、前群レンズ１０２を保持するレンズ保持枠１１６と、ガイドバー１１０と軸方向に沿って摺動自在に係合する軸受部１１８と、レンズ保持枠１１６と軸受部１１８との間で延在してこれらを連結するアーム部１２０とを備えている。レンズ保持枠１１６は、円環状に形成されており、内周部に前群レンズ１０２が取付けられている。また、軸受部１１８には、ガイドバー１１０と摺動自在に嵌合する円孔が形成されている。また、アーム部１２０は、レンズ保持枠１１６の外周面からレンズ保持枠１１６の外径方向へ延びている。
【００１０】
また、軸受部１１８には、カムフォロア１２９が配されている。このカムフォロア１２９は、カム環１５４に形成されたカム溝と嵌合しており、当該カム溝と共に、カム環１５４の回転運動をレンズ保持枠１１６の光軸方向への直線運動に変換する。
【００１１】
また、前群レンズ保持体１０６は、ガイドバー１１２と軸方向に沿って摺動自在に係合する軸受部１２６と、ガイドバー１１４と軸方向に沿って摺動自在に係合する軸受部１２８とを備えている。軸受部１２６と軸受部１２８とは、レンズ保持枠１１６の外周面からレンズ保持枠１１６の外径方向へ延びる板状体であり、軸受部１２６の先端部には、ガイドバー１１２と摺動自在に嵌合する円孔が形成され、軸受部１２８の先端部には、ガイドバー１１４と摺動自在に嵌合する円孔が形成されている。
【００１２】
ガイドバー支持部１５０は、円環状の固定環１５６と、固定環１５６の内周側に配された円盤状のフランジ１５８と、固定環１５６に取付けられた３個のビス１６０、１６１、１６２とを備えている。固定環１５６の内周面とフランジ１５８の外周面との間には隙間が空けられている。このため、フランジ１５８と固定環１５６とガイドバー１１０、１１２、１１４とを組付けるに際して、フランジ１５８は、固定環１５６から光軸周りの角度位置を拘束されず、また、上記隙間の分に限っては上下左右の位置を拘束されない。
【００１３】
また、フランジ１５８の外周部には、内周側に凹んだ３個のＶ溝１６４、１６６、１６８が形成されている。Ｖ溝１６６、１６８とは左右方向に並べて配され、Ｖ溝１６４がＶ溝１６６とＶ溝１６８とを結ぶ線分の上側に配されている。
【００１４】
ここで、Ｖ溝１６４、１６６、１６８は、光軸を中心として回転対称に、即ち、光軸の周りに等間隔で配されており、光軸方向から見て光軸を図心とする正三角形状に配されている。Ｖ溝１６４にはガイドバー１１０の前端部が嵌め込まれ、Ｖ溝１６６にはガイドバー１１２の前端部が嵌め込まれ、Ｖ溝１６８にはガイドバー１１４の前端部が嵌め込まれている。
【００１５】
また、３個のビス１６０、１６１、１６２は、固定環１５６に螺合しており、これらの頭部は、固定環１５６の外周側に配され、これらの先端部は、固定環１５６から内周側へ突出している。ビス１６０は、外径方向に沿ってＶ溝１６４と並べて配され、先端部をガイドバー１１０の前端部に当接させており、ガイドバー１１０の前端部は、一対のＶ溝１６４の斜面及びビス１６０の３点で固定支持されている。また、ビス１６１は、外径方向に沿ってＶ溝１６６と並べて配され、先端部をガイドバー１１２の前端部に当接させており、ガイドバー１１２の前端部は、Ｖ溝１６６の一対の斜面及びビス１６１の３点で固定支持されている。さらに、ビス１６２は、外径方向に沿ってＶ溝１６８と並べて配され、先端部をガイドバー１１４の前端部に当接させており、ガイドバー１１４の前端部は、Ｖ溝１６８の一対の斜面及びビス１６２の３点で固定支持されている。
【００１６】
ガイドバー支持部１５２は、円環状の固定環１７０と、固定環１７０の内周側に配された円環状のフランジ１５８と、固定環１７０に取付けられた３個のビス１６０、１６１、１６２とを備えている。フランジ１５８と、ビス１６０、１６１、１６２とは、ガイドバー支持部１５０に備えられた同符号のフランジ１５８と、ビス１６０、１６１、１６２と同構成であり、ガイドバー１１０、１１２、１１４の後端部が、Ｖ溝１６４、１６６、１６８とビス１６０、１６１、１６２とにより固定支持されている。
【００１７】
ところで、フランジ１５８は、射出成型により成型された表裏対称及び軸心周りに回転対称の樹脂部品であり、一の金型に形成された複数のキャビティの何れか一において成型される。ここで、各キャビティには、管理上の理由からキャビティ番号が付与されている。各キャビティには、当該キャビティ番号を型取った凸部又は凹部が形成されているおり、フランジ１５８における表裏一方の盤面１５９には、成型に際して、キャビティ番号１５７が刻印される。
【００１８】
図２は、前後一対のフランジ１５８を被写体側から見た正面図である。この図に示すように、キャビティ番号１５７が形成された盤面１５９は、前後一対のフランジ１５８の双方において、前側即ち被写体側に配されている。また、キャビティ番号１５７は、前後一対のフランジ１５８の双方において、前側の盤面１５９におけるＶ溝１６６とＶ溝１６８との間、即ちＶ溝１６４の鉛直下方に配されている。
【００１９】
即ち、同一のキャビティで成型された前後一対のフランジ１５８は、盤面１５９の向きが互いに前後逆転することなく一致した状態で配されている。さらに、当該前後一対のフランジ１５８は、光軸を中心とした周方向の位置が互いに一致した状態で配されている。
【００２０】
図３は、レンズ鏡筒１００の側断面図を示している。この図に示すように、カム環１５４の軸方向両端部には、内周側へ張り出した円環状の軸支部１５３が形成されている。この軸支部１５３の内周面は、フランジ１５８の外周面と光軸周りに回転自在に嵌合している。これにより、カム環１５４の軸心が位置決めされ、カム環１５４は、フランジ１５８と同心円上に配されている。
【００２１】
また、固定環１７０の後端部には、内周側へ張り出した円環状の規制部１７２が形成されている。この規制部１７２には、カメラ本体側のフランジ１５８が当接している。また、カム環１５４の前端部には、前側の固定環１５６の後端部が当接すると共に、カム環１５４の後端部には、後側の固定環１７０の前端部が当接している。これにより、カム環１５４の光軸方向の位置決めがなされている。
【００２２】
ここで、本実施形態に係るレンズ鏡筒１００では、複数本のガイドバー１１０、１１２、１１４の前後両端部を、前後一対のフランジ１５８の外周部に形成されたＶ溝１６４、１６６、１６８の一対の斜面とビス１６０、１６１、１６２との３点で固定支持している。これにより、ガイドバー１１０、１１２、１１４とＶ溝１６４、１６６、１６８との間にガタが生じない状態で、ガイドバー１１０、１１２、１１４を位置決めできる。また、前側のフランジ１５８と固定環１５６との間、及び後側のフランジ１５８と固定環１７０との間には隙間が空けられており、前後一対のフランジ１５８と固定環１５６、１７０とガイドバー１１０、１１２、１１４とを組付けるに際して、前後一対のフランジ１５８の位置を光軸周り及び上下左右に微調整できる。これにより、ガイドバー１１０、１１２、１１４の前端部及び後端部をＶ溝１６４、１６６、１６８の一対の斜面に確実に当接させることができる。
【００２３】
以上により、ガイドバー１１０、１１２、１１４の前後両端部の位置決め精度は、フランジ１５８以外の部品から影響を受けず、フランジ１５８の寸法精度により左右される。また、ガイドバー１１０、１１２、１１４と光軸との平行度は、前後一対のＶ溝１６４、前後一対のＶ溝１６６、前後一対のＶ溝１６８それぞれの相対位置精度に依存する。
【００２４】
ここで、本実施形態に係るレンズ鏡筒１００では、前後一対のフランジ１５８が、同一のキャビティにおいて成型されており、同じ傾向で寸法誤差が生じている。また、同一のキャビティにおいて成型された前後一対のフランジ１５８が、盤面１５９の向きを互いに前後逆転されることなく一致されると共に、光軸を中心とした周方向の位置を互いに一致された状態で配されている。
【００２５】
このため、前側のフランジ１５８と後側のフランジ１５８とで、光軸方向及び上下左右方向についての寸法誤差の傾向が揃う。これにより、前後のＶ溝１６４、前後のＶ溝１６６、前後のＶ溝１６８それぞれの上下左右方向についての相対位置の差異を低減でき、ガイドバー１１０、１１２、１１４の平行度を向上できる。従って、前群レンズ１０２及び後群レンズ１０４の光学性能を向上できる。
【００２６】
また、本実施形態に係るレンズ鏡筒１００では、前後の固定環１５６、１７０によりカム環１５４の光軸方向の位置を決めていることから、カムフォロア１２９、１３９の光軸方向の位置を決めることができる。従って、前群レンズ１０２及び後群レンズ１０４の光軸方向の位置を決めることができる。
【００２７】
また、カム環１５４における軸支部１５３の内周面が、フランジ１５８の外周面と光軸周りに回転自在に嵌合しており、カム環１５４の軸心の位置が決まっており、カム環１５４がフランジ１５８と同心円上に配されている。ここで、カム環１５４の前後両端部における軸心の位置精度は、前後一対のフランジ１５８の軸心の位置精度に依存する。また、カム環１５４の軸心と光軸との平行度は、前後一対のフランジ１５８の軸心の相対位置精度に依存する。そこで、上述したように、本実施形態に係るレンズ鏡筒１００では、前側のフランジ１５８と後側のフランジ１５８とで、上下左右方向についての寸法誤差の傾向を揃え、前後のフランジ１５８の上下左右方向についての相対位置の差異を低減させることにより、カム環１５４の軸心と光軸との平行度を向上させている。
【００２８】
また、本実施形態に係るレンズ鏡筒１００では、フランジ１５８の一方の盤面１５９における所定の位置にキャビティ番号１５７を刻印した。これにより、フランジ１５８、ガイドバー１１０、１１２、１１４及び固定環１５６、１７０の組付けに際して、フランジ１５８の盤面１５９の向きを識別できる。また、Ｖ溝１６４、１６６、１６８がフランジ１５８の軸心に対して回転対称に配されており、Ｖ溝１６４、１６６、１６８の位置を指標としては、フランジ１５８における軸心周りの位置を識別できないが、キャビティ番号１５７の位置により、フランジ１５８における軸心周りの位置を識別できる。従って、前後一対のフランジ１５８における盤面１５９の向きを、前後逆転させることなく一致させ、当該前後一対のフランジ１５８における軸心周りの位置を一致させることができる。
【００２９】
図４は、他の実施形態に係るレンズ鏡筒５００を示す分解斜視図である。なお、上記実施形態に係るレンズ鏡筒１００と同様の構成には同一の符号を付して説明は省略する。この図に示すように、前後一対のフランジ１５８は、被写体側からカメラ本体側へかけて縮径した段付き形状になっている。また、固定環１５６、１７０の内周面も、被写体側からカメラ本体側へかけて縮径した段付き形状になっている。
【００３０】
ここで、フランジ１５８の大径部１５８１は、固定環１５６、１７０の内周面における小径部１５６２、１７０２よりも大径となっており、小径部１５８２が小径部１５６２、１７０２の内周側に、大径部１５８１が大径部１５６１、１７０１の内周側に配される。即ち、フランジ１５８と固定環１５６、１７０とは、盤面１５９の向きを固定環１５６、１７０に対して相対的に逆転させた状態では、組み合わせることができない。
【００３１】
また、フランジ１５８の大径部１５８１における外周面には、キー溝１５８３が形成され、固定環１５６、１７０の大径部１５６１、１７０１における内周面には、キー溝１５８３に挿入されるキー１５６３、１７０３が形成されている。このため、フランジ１５８と固定環１５６、１７０とは、常に軸心の周りの相対角度を略一致させた状態で組み合わされる。なお、キー１５６３、１７０３とキー溝１５８３との間には微小な隙間が空けられており、フランジ１５８の固定環１５６、１７０に対する微小な相対回転は許容されている。
【００３２】
また、固定環１５６の後端面には、キー１５６４が突設され、固定環１７０の後端面には、キー１７０４が突設されている。また、カム環１５４における前端の軸支部１５３には、キー１５６４が挿入されるキー溝１５４４が形成され、カム環１５４における後端の軸支部１５３には、キー１７０４が挿入されるキー溝１５４４が形成されている。ここで、前後一対のキー溝１５４４の光軸周りの位置は一致している。また、キー１５６４とキー１５６３との間隔と、キー１７０４とキー１７０３との間隔とは一致している。
【００３３】
このため、前後一対のフランジ１５８と固定環１５６、１７０とを組付けるに際して、キー１５６４を前側のキー溝１５４４に挿入すると共に、キー１７０４を後側のキー溝１５４４に挿入することにより、固定環１５６と固定環１７０との前後の向き、及び、固定環１５６と固定環１７０との光軸周りの相対位置が一定になる。これにより、前後一対のフランジ１５８の前後の向き、及び光軸の周りの相対位置を一致させることができる。なお、キー溝１５４４の光軸周りの長さは、カム環１５４の回転量より長く設定されており、カム環１５４の回転が、キー１７０４とキー溝１５４４とにより制限されないようになっている。
【００３４】
図５は、レンズ鏡筒１００を備えたデジタルカメラ３００の構造を模式的に示す側断面図である。この図に示すように、レンズ鏡筒１００は、マウント部２６０を介して、カメラ本体２００に対して着脱自在に装着される。なお、デジタルカメラ３００において、レンズ鏡筒１００およびカメラ本体２００は、図示していない接続端子を介して電気的にも結合される。これにより、レンズ鏡筒１００は、カメラ本体２００から電力を供給される。
【００３５】
カメラ本体２００は、主鏡２４０、ペンタプリズム２７０、接眼光学系２９０を含む光学系と、主制御部２５０とを収容する。主鏡２４０は、レンズ鏡筒１００の前群レンズ１０２及び後群レンズ１０４を含む光学系を介して入射した入射光の光路上に傾斜して配置される待機位置と、入射光を避けて上昇する撮影位置（図中に点線で示す）との間を移動する。
【００３６】
待機位置にある主鏡２４０は、入射光の大半を、上方に配置されたフォーカシングスクリーン２７２に導く。フォーカシングスクリーン２７２は、レンズ鏡筒１００の上記光学系の合焦位置に配置され、上記光学系により形成された画像を結像させる。
【００３７】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００３８】
ペンタプリズム２７０および接眼光学系２９０の間には、ファインダＬＣＤ２９４に形成された表示画像を、フォーカシングスクリーン２７２の映像に重畳させるハーフミラー２９２が配置される。これにより、接眼光学系２９０の出射端においては、フォーカシングスクリーン２７２の映像と、ファインダＬＣＤ２９４の映像とを併せて見ることができる。なお、ファインダＬＣＤ２９４には、デジタルカメラ３００の撮影条件、設定条件等の情報が表示される。
【００３９】
また、ペンタプリズム２７０の出射光の一部は、測光部２８０に導かれる。測光部２８０は、入射光の強度およびその分布等を測定して、撮影条件を決定する場合に測定結果を参照させる。
【００４０】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００４１】
レンズ鏡筒１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００４２】
また、カメラ本体２００は、レンズ鏡筒１００に対して背面において、外部に面したメインＬＣＤ２９６を備える。メインＬＣＤ２９６は、カメラ本体２００に対する各種の設定情報を表示する他、主鏡２４０が撮影位置に移動している場合に撮像素子２１０に形成された画像を表示することもできる。
【００４３】
主制御部２５０は、上記のような種々の動作を総合的に制御する。また、カメラ本体２００側の焦点検出装置２３０が検出した被写体までの距離の情報を参照して、レンズ鏡筒１００を駆動するオートフォーカス機構を形成できる。また、焦点検出装置２３０がレンズ鏡筒１００の動作量を参照して、フォーカスエイド機構を形成することもできる。更に、主制御部２５０は、露出の自動化、シーンモードの実行、ブラケット撮影の実行等にも寄与する。
【００４４】
こうして、レンズ鏡筒１００と、前群レンズ１０２及び後群レンズ１０４を含む光学系による像を撮影するカメラ本体２００とを有するデジタルカメラ３００が形成される。このように、レンズ鏡筒１００は、デジタルカメラ３００において好適に使用できる。しかしながら、レンズ鏡筒１００の用途がこれに限られるわけではなく、例えば、動画撮影機、双眼鏡、顕微鏡、測量機等の光学系において、合焦機構、ズーム機構等に使用できる。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４６】
例えば、本実施形態では、３本のガイドバー１１０、１１２、１１４を設けたが、ガイドバーの本数は複数本であればよく、２本でもよい。また、複数本のガイドバーの何れか１本をリードスクリューとしてもよい。また、本実施形態では、前後一対の固定環１５６、１７０を設けたが、これらは一体化してもよい。さらに、本実施形態では、Ｖ溝とビスとによりガイドバーの両端部を固定支持したが、嵌合穴、Ｕ溝等によりガイドバーの両端部を保持してもよい。
【００４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず」、「次に」等を用いて説明したとしても、この順で実施することが必須であることを意味するものではない。
【図面の簡単な説明】
【００４８】
【図１】レンズ鏡筒１００の内部構造を示す斜視図である。
【図２】前後一対のフランジ１５８を被写体側から見た正面図である。
【図３】レンズ鏡筒１００の側断面図を示している。
【図４】他の実施形態に係るレンズ鏡筒５００を示す分解斜視図である。
【図５】レンズ鏡筒１００を備えたデジタルカメラ３００の構造を模式的に示す側断面図である。
【符号の説明】
【００４９】
１００  レンズ鏡筒、１０２  前群レンズ、１０４  後群レンズ、１０６  前群レンズ保持体、１０８  後群レンズ保持体、１１０、１１２、１１４  ガイドバー、１１６  レンズ保持枠、１１８  軸受部、１２０  アーム部、１２６  軸受部、１２８  軸受部、１２９、１３９  カムフォロア、１５０、１５２  ガイドバー支持部、１５３  軸支部、１５４  カム環、１５６  固定環、１５７  キャビティ番号、１５８  フランジ、１５９  盤面、１６０、１６１、１６２  ビス、１６４、１６６、１６８  Ｖ溝、１７０  固定環、１７２  規制部、２００  カメラ本体、２１０  撮像素子、２１２  光学フィルタ、２２０  シャッタ、２３０  焦点検出装置、２４０  主鏡、２４２  副鏡、２５０  主制御部、２６０  マウント部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  デジタルカメラ、５００  レンズ鏡筒、１５４４  キー溝、１５６１  大径部、１５６２  小径部、１５６３、１５６４  キー、１５８１  大径部、１５８２  小径部、１５８３  キー溝、１７０１  大径部、１７０２  小径部、１７０３、１７０４  キー
【図１】
2010113081.tif 000003
【図２】
2010113081.tif 000004
【図３】
2010113081.tif 000005
【図４】
2010113081.tif 000006
【図５】
2010113081.tif 000007